(57)【要約】【課題】タッチパネルを注視しなくても誤操作の発生を抑制することができる情報処理装置を提供する。【解決手段】情報処理装置は、入力面に複数の操作領域を配置しているタッチパネル４と、前記操作領域と検出感度レベルとの対応関係を記憶する記憶部２と、前記対応関係に基づいてタッチパネル４に対する入力操作を検出する検出部として機能する制御部１と、を備える。【選択図】図１
2015225646.tif 000002
【特許請求の範囲】
【請求項１】
入力面に複数の操作領域を配置しているタッチパネルと、
前記操作領域と検出感度レベルとの対応関係を記憶する記憶部と、
前記対応関係に基づいて前記タッチパネルに対する入力操作を検出する検出部と、
を備える情報処理装置。
【請求項２】
前記検出感度レベルが前記操作領域に対する入力操作頻度に基づいて決定される請求項１に記載の情報処理装置。
【請求項３】
前記タッチパネルが表示画面上に取り付けられる表示部を備え、
前記表示画面に表示される操作画面の階層毎に前記検出感度レベルが決定される請求項１または請求項２に記載の情報処理装置。
【請求項４】
前記検出感度レベルが外部から入力されたデータに基づいて決定される請求項１〜請求項３のいずれか１項に記載の情報処理装置。
【請求項５】
前記タッチパネルがタッチを検出したときに前記検出感度レベルに応じた感知情報を出力する感知情報出力部を備え、
前記感知情報が視覚以外の知覚により感知される情報である請求項１〜請求項４のいずれか１項に記載の情報処理装置。
【請求項６】
前記感知情報出力部が、前記タッチパネルのタッチ検出位置の移動距離に基づき前記感知情報を変化させる請求項５に記載の情報処理装置。
【発明の詳細な説明】
【技術分野】
【０００１】
本発明は、タッチパネルを備える情報処理装置に関する。
【背景技術】
【０００２】
タッチパネルを備える情報処理装置として、例えば、デジタルカメラ、ハンディカム等の撮影装置やスマートフォン等のモバイル機器が挙げられる。
【０００３】
操作者が被写体を注視しながら撮影装置のタッチパネルを操作することがある。また、スマートフォン等の携帯機器が映像表示装置のリモートコントローラとして利用されている場合、操作者が映像表示装置の画面を注視しながらモバイル機器のタッチパネルを操作することがある。
【先行技術文献】
【特許文献】
【０００４】
【特許文献１】特開２０１１−２０９８２４号公報
【特許文献２】特開２０１１−１２３９１４号公報
【発明の概要】
【発明が解決しようとする課題】
【０００５】
上述した操作形態では、操作者が情報処理装置のタッチパネルを注視せずに情報処理装置のタッチパネルを操作するため、誤操作の発生が起こりやすいという問題があった。
【０００６】
特許文献１及び特許文献２に開示されている情報処理装置は、操作性の向上を図るために、タッチパネルが表示画面上に取り付けられる表示部に表示されるアイコンの配置を使用頻度などに応じて変更している。しかしながら、表示画面上のアイコンの配置が変更されると、操作者はアイコンの配置を覚え直さなければタッチパネルを注視せずにタッチパネルを操作することができないという問題が生じる。
【０００７】
本発明は、上記の状況に鑑み、タッチパネルを注視しなくても誤操作の発生を抑制することができる情報処理装置を提供することを目的とする。
【課題を解決するための手段】
【０００８】
上記目的を達成するために本発明に係る情報処理装置は、入力面に複数の操作領域を配置しているタッチパネルと、前記操作領域と検出感度レベルとの対応関係を記憶する記憶部と、前記対応関係に基づいて前記タッチパネルに対する入力操作を検出する検出部と、を備える構成（第１の構成）とする。
【０００９】
このような構成によると、タッチパネルの操作領域に応じて検出感度レベルを変えることができるので、タッチパネルを注視しなくても誤操作の発生を抑制することができる。
【００１０】
上記第１の構成の情報処理装置において、前記検出感度レベルが前記操作領域に対する入力操作頻度に基づいて決定される構成（第２の構成）であることが好ましい。
【００１１】
このような構成によると、タッチパネルが使い込まれるにつれて、誤操作の発生をより一層抑制することができる。
【００１２】
また、上記第１又は第２の構成の情報処理装置において、前記タッチパネルが表示画面上に取り付けられる表示部を備え、前記表示画面に表示される操作画面の階層毎に検出感度レベルが決定される構成（第３の構成）であることが好ましい。
【００１３】
このような構成によると、操作画面の階層毎に適切な検出感度レベルを設定することができるので、誤操作の発生をより一層抑制することができる。
【００１４】
また、上記第１〜３のいずれかの構成の情報処理装置において、前記検出感度レベルが外部から入力されたデータに基づいて決定される構成（第４の構成）であることが好ましい。
【００１５】
このような構成によると、実際の使用状況に応じない検出感度レベルの設定も可能となり、実際の使用状況とは相関の低い誤操作の発生を抑制することも可能となる。
【００１６】
また、上記第１〜４のいずれかの構成の情報処理装置において、前記タッチパネルがタッチを検出したときに前記検出感度レベルに応じた感知情報を出力する感知情報出力部を備え、前記感知情報が視覚以外の知覚により感知される情報である構成（第５の構成）であることが好ましい。
【００１７】
このような構成によると、どのような検出感度レベルの操作領域に対してタッチがあったのかをタッチパネルを注視していない操作者にも報知することができる。これにより、利便性が向上する。
【００１８】
また、上記第５の構成の情報処理装置において、前記感知情報出力部が、前記タッチパネルのタッチ検出位置の移動距離に基づき前記感知情報を変化させる構成（第６の構成）であることが好ましい。
【００１９】
このような構成によると、タッチ検出位置の移動距離を、タッチパネルを注視していない操作者にも報知することができる。これにより、利便性が向上する。
【発明の効果】
【００２０】
本発明に係る情報処理装置によると、タッチパネルの操作領域に応じて検出感度レベルを変えることができるので、タッチパネルを注視しなくても誤操作の発生を抑制することができる。
【図面の簡単な説明】
【００２１】
【図１】本発明の第１実施形態に係る情報処理装置の概略構成を示す図である。
【図２】タッチパネルの入力面を模式的に示す図である。
【図３】タッチパネルの入力面を模式的に示す図である。
【図４】操作領域と検出感度レベルとの対応関係の更新手順例を示すフローチャートである。
【図５】操作領域と検出感度レベルとの対応関係を示す図である。
【図６】検出感度レベルと有効化までに要する時間との対応関係を示す図である。
【図７】本発明の第２実施形態に係る情報処理装置の概略構成を示す図である。
【図８】検出感度レベルと振動数、振動強度との対応関係を示す図である。
【図９】本発明の第３実施形態に係る情報処理装置の概略構成を示す図である。
【図１０】検出感度レベルと音声信号周波数、音声信号強度との対応関係を示す図である。
【図１１】タッチパネルの入力面を模式的に示す図である。
【発明を実施するための形態】
【００２２】
本発明の実施形態について図面を参照して以下に説明する。後述する実施形態はあくまで例示であり、本発明は後述する実施形態に限定されるものではない。各実施形態は矛盾のない限り、適宜組み合わせて実施することができ、また、各実施形態で説明する例示や変形例は矛盾のない限り、他の実施形態にも適用することができる。
【００２３】
＜第１実施形態＞
図１は、本発明の第１実施形態に係る情報処理装置の概略構成を示す図である。本発明の第１実施形態に係る情報処理装置は、スマートフォンであって、制御部１と、記憶部２と、通信部３と、タッチパネル４と、表示部５とを備えている。制御部１は、タッチパネル４に対する入力操作を検出する検出部として機能する。
【００２４】
制御部１は例えばＣＰＵ（Central Processing Unit）によって構成され、記憶部２はＲＡＭ（Random Access Memory）などの揮発性メモリ及びフラッシュメモリなどの不揮発性メモリによって構成される。制御部１はスマートフォン全体を制御する制御部であり、記憶部２に記憶されている例えばＡｎｄｒｏｉｄ（登録商標）などのオペレーティングシステムに従って制御動作を行う。また、記憶部２はオペレーティングシステムの他に、各種データ及び各種プログラムを記憶している。
【００２５】
通信部３は、例えば、３Ｇや４Ｇの通信網を利用する通信、Ｗｉ−Ｆｉ（登録商標）通信、Bluetooth（登録商標）通信、赤外線通信などの無線通信を行うことができる。Ｗｉ−Ｆｉ通信、Bluetooth通信、赤外線通信などに対応している外部機器（例えばテレビジョン受像機）に対して通信部３がリモートコントロール信号を送信することで、スマートフォンを外部機器のリモートコントローラとして利用することができる。
【００２６】
タッチパネル４は、操作者の指やタッチペンなどの被検出体によって入力面のどの位置がタッチされたかを示す位置情報を制御部１に出力する。タッチパネル４の検出方式は特に限定されないが例えば静電容量方式等を用いることができる。
【００２７】
表示部５は例えば液晶表示パネルなどの薄型表示パネルであって、制御部１から送られてくる表示信号に基づく画像を表示画面に表示する。表示部５の表示画面上にはタッチパネル４が取り付けられている。
【００２８】
次に、制御部１がタッチパネル４から送られてくる位置情報をどのように処理するかについて説明する。
【００２９】
表示部５がアイコンやソフトウェアキーなどを含む操作画面を表示しているときに、タッチパネル４は図２に示すように入力面に複数の操作領域Ａ１〜Ａ１６を配置する。図２においては各操作領域の外縁を点線で示している。
【００３０】
各操作領域の大きさ、形状、配置は図２に示すものに限定されることはなく、操作画面中のアイコンやソフトウェアキーなどに適合したものにすることが望ましい。したがって、操作画面の階層毎に操作領域の配置を定めることが望ましい。例えば、アイコンの数が少なく各アイコンが大きければ、図３に示すように操作領域の数も少なくし各操作領域Ｂ１〜Ｂ９を大きくすればよい。逆に、制御部１による制御の簡素化を図るため、操作領域の配置を操作画面の階層を問わず統一してもよい。
【００３１】
記憶部２は操作領域と検出感度レベルとの対応関係を記憶している。制御部１は、記憶部２に記憶させている操作領域と検出感度レベルとの対応関係を、タッチパネル４の使用状況に応じて更新することができる。この更新手順の例を図４に示すフローチャートを参照して説明する。
【００３２】
まず、制御部１は、タッチパネル４の入力面に配置される複数の操作領域を設定する（ステップ＃１０）。例えば各操作領域の形状が図２や図３のように矩形であれば、矩形の各頂点の座標を設定することで操作領域を設定することができる。
【００３３】
次に、制御部１は、記憶部２に記憶されている使用回数マップを読み込む（ステップ＃２０）。使用回数マップは、操作領域毎の使用回数を示すものである。ここで、使用回数とは、操作領域に対して行われた有効なタッチ回数を意味している。なお、使用回数は、総使用回数でも良く、所定期間（例えば過去１年間）の使用回数であっても良い。
【００３４】
次に、制御部１は、使用回数マップに基づいて、操作領域毎の検出感度レベルを設定し、この設定によって得られた操作領域と検出感度レベルとの対応関係を記憶部２に記憶させる（ステップ＃３０）。本実施形態では、最少使用回数（図５に示す例では操作領域Ａ１の使用回数）と最多使用回数（図５に示す例では操作領域Ａ７の使用回数）との加算値を１０で除した値を操作領域Ａ１の検出感度レベルであるレベル１の上限値とし、レベル１の上限値を基準にして操作領域Ａ１以外の各操作領域Ａ２〜Ａ１０の各検出感度レベルを設定する（図５参照）。
【００３５】
なお、本実施形態とは異なる手法で各操作領域の各検出感度レベルを設定してもよい。例えば、最多使用回数（図５に示す例では操作領域Ａ７の使用回数）と各操作領域Ａ１〜Ａ１０の各使用回数との比に応じて各操作領域の検出感度レベルを設定しても良い。
【００３６】
ステップ＃３０に続くステップ＃４０において、制御部１は、タッチパネル４から送られてくる位置情報の受付を開始することで、タッチパネル機能を有効化する。タッチパネル４は、操作者の指やタッチペンなどの被検出体が入力面に接触したか否かを判定しており（ステップ＃５０）、接触があれば被検出体によって入力面のどの位置がタッチされたかを示す位置情報を制御部１に出力する（ステップ＃６０）。
【００３７】
制御部１は、タッチパネル４から送られてきた位置情報を受信し（ステップ＃７０）、
受信した位置情報に対応する操作領域の検出感度レベルを用いて、タッチパネル４に対する入力操作を検出する（ステップ＃８０）。使用頻度が少ない操作領域すなわち検出感度レベルが小さい操作領域に対しては操作者が意図しないタッチ（誤操作）が行われる可能性が高いため、本実施形態では、図６に示すように検出感度レベルが小さいほど操作の有効化までに要する時間を長くしている。これにより、検出感度レベルが小さい操作領域ほど、接触時間を長くしなければ入力操作が検出されない。なお、図６に示す例では、操作の有効化までに要する時間が検出感度レベルに対して線形に変化しているが、非線形に変化するようにしても良い。また、本実施形態とは異なり、検出感度レベルが小さいほど操作の有効化までに要する所定期間内（例えば３秒以内）の接触回数を多くしてもよい。
【００３８】
入力操作を検出した場合（ステップ＃８０のＹＥＡＳ）、制御部１は、タッチ位置に対応する操作領域の使用回数を１回増加させて、使用回数マップを更新し、更新した使用回数マップを記憶部２に記憶させる。そして、制御部１は、更新した使用回数マップに基づいて、操作領域毎の検出感度レベルを再設定し（ステップ＃１００）、次の入力操作に備える。
【００３９】
図４に示すフローチャートでは、制御部１が、記憶部２に記憶させている操作領域と検出感度レベルとの対応関係をタッチパネル４の使用回数が増える毎に更新することになり、検出感度レベルが頻繁に変更されるおそれがある。そこで、検出感度レベルが頻繁に変更しないように、検出感度レベルを定期的（例えば、使用回数マップが１００回更新される毎、あるいは、１週間毎など）に行うようにしても良く、検出感度レベルの変更にヒステリシス特性を持たせても良い。
【００４０】
また、使用回数マップ及び操作領域毎の検出感度レベルの設定を操作画面の階層毎に記憶部２が記憶することが望ましい。ここで、操作画面の階層に関して例を挙げて説明すると、第１階層の操作画面に含まれるアイコンがタッチされ、そのタッチ操作に応じて表示部５が第２階層の操作画面を表示する場合、第１階層は第２階層よりも一つ上位の階層となる。
【００４１】
尚、使用回数マップ及び操作領域毎の検出感度レベルの設定を操作画面の階層毎に独立させずに、全ての階層で共通の使用回数マップを用いてもよい。共通の使用回数マップを用いる場合、階層間での操作領域の対応関係を定めておく必要がある。図２に示す操作画面と図３に示す操作画面の両方において操作領域Ａ１〜Ａ１６の使用回数マップを用いる場合、例えば次のように使用回数を割り当てると良い。操作領域Ｂ１の使用回数として操作領域Ａ１の使用回数を、操作領域Ｂ２の使用回数として操作領域Ａ２の使用回数を、操作領域Ｂ３の使用回数として操作領域Ａ４の使用回数を割り当てる。また、操作領域Ｂ４の使用回数として操作領域Ａ５の使用回数を、操作領域Ｂ５の使用回数として操作領域Ａ６の使用回数を、操作領域Ｂ６の使用回数として操作領域Ａ８の使用回数を割り当てる。さらに、操作領域Ｂ７の使用回数として操作領域Ａ１３の使用回数を、操作領域Ｂ８の使用回数として操作領域Ａ１４の使用回数を、操作領域Ｂ９の使用回数として操作領域Ａ１６の使用回数を割り当てる。
【００４２】
また、制御部１は、例えば通信部３を介して外部から入力されたデータに基づいて検出感度レベルを設定する。これにより、例えば製品出荷時のプリセット値を使用回数マップに与えることができ、製品の使用開始直後から操作領域毎に検出感度レベルを異ならせることができる。そして、ステップ＃９０及びステップ＃１００を実施しなければ、使用回数マップは製品出荷時のプリセット値のままであり、ステップ＃９０及びステップ＃１００を実施すれば、実際の使用状況に応じて使用回数マップが更新されていくことになる。また、実際の使用状況に応じて使用回数マップが更新された場合でも、所定の操作領域の検出感度レベルに関しては、例えば通信部３を介して使用回数マップの更新後に外部から入力されたデータに基づく所定のレベルに固定してもよい。
【００４３】
以上説明した本実施形態に係るスマートフォンは、入力面に複数の操作領域を配置しているタッチパネル４と、操作領域と検出感度レベルとの対応関係を記憶する記憶部２と、操作領域と検出感度レベルとの対応関係に基づいてタッチパネル４に対する入力操作を検出する検出部として機能する制御部１と、を備える構成である。
【００４４】
このような構成によると、タッチパネル４の操作領域に応じて検出感度レベルを変えることができるので、タッチパネル４を注視しなくても誤操作の発生を抑制することができる。
【００４５】
また、本実施形態に係るスマートフォンは、検出感度レベルが操作領域に対する入力操作頻度に基づいて決定される構成である。
【００４６】
このような構成によると、タッチパネルが使い込まれるにつれて、誤操作の発生をより一層抑制することができる。
【００４７】
また、本実施形態に係るスマートフォンは、タッチパネル４が表示画面上に取り付けられる表示部５を備え、表示画面に表示される操作画面の階層毎に検出感度レベルが決定される構成である。
【００４８】
このような構成によると、操作画面の階層毎に適切な検出感度レベルを設定することができるので、誤操作の発生をより一層抑制することができる。
【００４９】
また、本実施形態に係るスマートフォンは、検出感度レベルが外部から入力されたデータに基づいて決定される構成である。
【００５０】
このような構成によると、実際の使用状況に応じない検出感度レベルの設定も可能となり、実際の使用状況とは相関の低い誤操作の発生を抑制することも可能となる。
【００５１】
＜第２実施形態＞
図７は、本発明の第２実施形態に係る情報処理装置の概略構成を示す図である。本発明の第２実施形態に係る情報処理装置は、スマートフォンであって、本発明の第１実施形態に係る情報処理装置にアクチュエータ６を追加した構成である。
【００５２】
アクチュエータ６は、制御部１の制御に従ってタッチパネル４及び表示部５を振動させる。アクチュエータ６は、タッチパネル４がタッチを検出したときに検出感度レベルに応じた感知情報（触覚により感知される情報）を出力する感知情報出力部として機能する。
【００５３】
本実施形態においても、第１実施形態と同様に図４に示す更新手順によって操作領域と検出感度レベルとの対応関係が更新される。そして、ステップ＃７０とステップ＃８０との間に、タッチ位置に対応する操作領域の検出感度レベルに応じた振動をアクチュエータ６が起こすように、制御部１がアクチュエータ６を制御する。
【００５４】
検出感度レベルに応じた振動の例としては、（１）検出感度レベルが小さいほど振動数を高くする、（２）検出感度レベルが小さいほど振動強度を大きくする、（３）検出感度レベルが小さいほど振動数を高くし且つ振動強度を大きくする、などが考えられる（図８参照）。なお、図８に示す例では、振動数あるいは振動強度が検出感度レベルに対して線形に変化しているが、非線形に変化するようにしても良い。
【００５５】
上記の例によると、使用頻度が少ない操作領域すなわち検出感度レベルが小さい操作領域がタッチされた場合に、操作者が感じやすい感知情報が出力されることになり、操作者に注意を促すことができる。
【００５６】
本実施形態に係るスマートフォンは、第１実施形態に係るスマートフォンと同様の効果を奏する。
【００５７】
また、本実施形態に係るスマートフォンは、タッチパネル４がタッチを検出したときに検出感度レベルに応じた感知情報（触覚により感知される情報）を出力する感知情報出力部として機能するアクチュエータ６を備える構成である。
【００５８】
このような構成によると、どのような検出感度レベルの操作領域に対してタッチがあったのかをタッチパネル４を注視していない操作者にも報知することができる。これにより、利便性が向上する。
【００５９】
＜第３実施形態＞
図９は、本発明の第３実施形態に係る情報処理装置の概略構成を示す図である。本発明の第３実施形態に係る情報処理装置は、スマートフォンであって、本発明の第１実施形態に係る情報処理装置にスピーカ等の音声出力部７を追加した構成である。
【００６０】
音声出力部７は、制御部１の制御に従って音声を出力する。音声出力部７は、タッチパネル４がタッチを検出したときに検出感度レベルに応じた感知情報（聴覚により感知される情報）を出力する感知情報出力部として機能する。
【００６１】
本実施形態においても、第１実施形態と同様に図４に示す更新手順によって操作領域と検出感度レベルとの対応関係が更新される。そして、ステップ＃７０とステップ＃８０との間に、タッチ位置に対応する操作領域の検出感度レベルに応じた音声を音声出力部７が出力するように、制御部１が音声出力部７を制御する。
【００６２】
検出感度レベルに応じた音声の例としては、（１）検出感度レベルが小さいほど音声周波数を高くする、（２）検出感度レベルが小さいほど音量（音声の強度）を大きくする、（３）検出感度レベルが小さいほど音声周波数を高くし且つ音量を大きくする、などが考えられる（図１０参照）。なお、図１０に示す例では、音声周波数あるいは音量が検出感度レベルに対して線形に変化しているが、非線形に変化するようにしても良い。
【００６３】
上記の例によると、使用頻度が少ない操作領域すなわち検出感度レベルが小さい操作領域がタッチされた場合に、操作者が感じやすい感知情報が出力されることになり、操作者に注意を促すことができる。
【００６４】
本実施形態に係るスマートフォンは、第１実施形態に係るスマートフォンと同様の効果を奏する。
【００６５】
また、本実施形態に係るスマートフォンは、タッチパネル４がタッチを検出したときに検出感度レベルに応じた感知情報（聴覚により感知される情報）を出力する感知情報出力部として機能する音声出力部７を備える構成である。
【００６６】
このような構成によると、どのような検出感度レベルの操作領域に対してタッチがあったのかをタッチパネル４を注視していない操作者にも報知することができる。これにより、利便性が向上する。
【００６７】
＜第４実施形態＞
本発明の第４実施形態に係るスマートフォンは本発明の第２実施形態に係るスマートフォンと同一の構成である。また、本実施形態に係るスマートフォンは本発明の第２実施形態に係るスマートフォンと同様の動作を行う。
【００６８】
さらに、本実施形態に係るスマートフォンでは、タッチパネル４がタッチを検出した後、タッチ検出位置の移動距離に基づき感知情報を変化させている。例えば、最初のタッチ検出位置が図１１に示す網掛け部分だとすれば、制御部１は、網掛け部分からの距離に応じて感知情報のレベル（操作者の感じ易さ）が異なる領域（図１１に示す点線が境界となる領域）を設定する。この設定により、例えば音量ボリューム調整のリモートコントロールを行う場合に、操作者は感知情報のレベルを頼りに音量ボリューム調整の可変量を知ることができる。
【００６９】
本実施形態に係るスマートフォンは、第２実施形態に係るスマートフォンと同様の効果を奏する。
【００７０】
また、本実施形態に係るスマートフォンは、感知情報出力部として機能するアクチュエータ６が、タッチパネル４のタッチ検出位置の移動距離に基づき感知情報を変化させる構成である。
【００７１】
このような構成によると、タッチ検出位置の移動距離を、タッチパネルを注視していない操作者にも報知することができる。これにより、利便性が向上する。
【符号の説明】
【００７２】
１  制御部
２  記憶部
３  通信部
４  タッチパネル
５  表示部
６  アクチュエータ
７  音声出力部
【図１】
2015225646.tif 000003
【図２】
2015225646.tif 000004
【図３】
2015225646.tif 000005
【図４】
2015225646.tif 000006
【図５】
2015225646.tif 000007
【図１１】
2015225646.tif 000008
【図６】
2015225646.tif 000009
【図７】
2015225646.tif 000010
【図８】
2015225646.tif 000011
【図９】
2015225646.tif 000012
【図１０】
2015225646.tif 000013